【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
速度変換用バッファメモリへの画像データの格納を要求する画像格納要求信号とともに該画像データを出力する複数の画像供給手段の中から１つの画像供給手段を選択する入力選択手段と、参照用バッファメモリに格納された画像データの読出しを要求する画像読出し要求信号を出力し、該画像読出し要求信号により読み出された画像データに対し対応する処理を施す複数の画像処理手段と、前記各画像処理手段の中から対応する画像処理手段を設定された機能モードに応じて選択する処理選択手段と、前記選択された画像処理手段で処理された画像データに対する画像形成を行う画像形成手段とを有する複合画像形成装置に用いられるバッファメモリ制御装置において、前記速度変換用バッファメモリおよび前記参照用バッファメモリを兼ねる１つのラインバッファメモリと、前記入力選択手段で選択された画像供給手段からの画像格納要求信号と前記処理選択手段で選択された画像処理手段からの画像読出し要求信号とを調停するメモリアクセス調停手段と、前記入力選択手段で選択された画像供給手段からの画像格納要求信号に応答して対応する画像データを前記ラインバッファメモリへ格納する際に前記ラインバッファメモリを前記選択された画像処理手段に応じて複数のラインに分割して該分割された各ラインにアクセスしかつ各ラインに対応する画像データを格納するように書込アドレス制御を行うとともに、前記処理選択手段で選択された画像処理手段からの画像読出し要求信号に応答して前記ラインバッファメモリから対応する画像データを読み出す際に前記分割された各ラインにアクセスしかつ各ラインから画像データを読み出すように読出しアドレス制御を行うアドレス制御手段とを備え、前記選択された画像処理手段がその処理に参照画像データを必要とするときには、前記アドレス制御手段は、前記参照画像データが格納されている参照ラインを含む複数のラインにまたがる画像データを一度に取り出すように読出しアドレス制御を行うことを特徴とするバッファメモリ制御装置。
【請求項２】
前記画像形成手段による１ページの画像データに対する画像形成中に前記選択された画像供給手段から入力される画像データの各画像ブロック毎に前記処理選択手段により選択される画像処理手段が切り替えられるモードが設定されているときには、前記アドレス制御手段は、前記選択された画像処理手段毎に必要となる参照ラインの数を可変しながら該参照ラインを含む複数のラインにまたがる画像データを一度に取り出すように読出しアドレス制御を行うことを特徴とする請求項１記載のバッファメモリ制御装置。
【請求項３】
前記アドレス制御手段は、前記格納アドレス制御を行う格納アドレス制御手段と、前記読出しアドレス制御を行う読出しアドレス制御手段とを有し、前記格納アドレス制御手段は、前記ラインバッファメモリの各ライン内のアドレスを計数するための書込主走査カウンタと、前記ラインバッファメモリの各ラインの書込先頭アドレスを保持する書込レジスタと、前記ラインバッファメモリのデータ書込先となるラインを特定するための書込ラインカウンタと、前記書込ラインカウンタの値に基づき前記書込レジスタの各書込先頭アドレスから前記データ書込先となるラインの先頭アドレスを選択する書込先先頭アドレス選択手段と、前記書込先先頭アドレス選択手段で選択された書込先頭アドレスと前記書込主走査カウンタの計数値とを加算して前記画像データの書込アドレスを生成する書込加算器とからなり、前記読出しアドレス制御手段は、前記ラインバッファメモリの１ライン内のアドレスを計数するための読出し主走査カウンタと、前記ライン分割されたラインバッファメモリの各ラインの読出し先頭アドレスを保持する読出しレジスタと、複数の読出しラインの内の最初の読出しラインを管理するための読出し主ラインカウンタと、複数のラインにまたがる画像データの取り出し用アドレスを管理するための読出し副ラインカウンタと、前記読出し主および副ラインカウンタの値に基づき前記レジスタの各読出し先頭アドレスから前記データ読出し先となるラインの読出し先頭アドレスを選択する読出し先頭アドレス選択手段と、前記読出し先頭アドレス選択手段で選択された読出し先頭アドレスと前記読出し主走査カウンタの計数値とを加算して前記画像データの読出しアドレスを生成する読出し加算器とからなり、前記複数のラインにまたがる画像データの読出し時には、前記選択された画像処理手段の画像処理に必要となる参照ライン数に応じて前記読出し副ラインカウンタによる計数を行いながら前記複数のラインにまたがる画像データを一度に取り出し、前記選択された画像処理手段に必要となる参照ラインの数に応じて前記読出し副ラインカウンタの値を可変することにより前記参照ラインの数を可変することを特徴とする請求項１または２記載のバッファメモリ制御装置。
【請求項４】
前記分割されたラインの数を管理するためにアップダウンカウンタを用い、該アップダウンカウンタのカウントアップ値は前記ラインの分割数に応じて切り替えられるように制御されることを特徴とする請求項３記載のバッファメモリ制御装置。
【請求項５】
前記ラインの分割数は、前記選択された画像処理手段に応じて予め設定されていることを特徴とする請求項１記載のバッファメモリ制御装置。
【請求項６】
前記メモリアクセス調停手段は、前記入力選択手段による前記画像供給手段の選択タイミングおよび前記処理選択手段による前記画像処理手段の選択タイミングに応じて前記画像格納要求信号に応答したアクセス実行タイミングと前記画像読出し要求信号に応答したアクセス実行タイミングとを任意に切替可能なように前記画像格納要求信号と前記画像読出し要求信号との調停を行うことを特徴とする請求項１記載のバッファメモリ制御装置。
【請求項７】
速度変換用バッファメモリへの画像データの格納を要求する画像格納要求信号とともに該画像データを出力する複数の画像供給手段の中から１つの画像供給手段を選択する入力選択手段と、参照用バッファメモリに格納された画像データの読出しを要求する画像読出し要求信号を出力し、該画像読出し要求信号により読み出された画像データに対し対応する処理を施す複数の画像処理手段と、前記各画像処理手段の中から対応する画像処理手段を設定された機能モードに応じて選択する処理選択手段と、前記選択された画像処理手段で処理された画像データに対する画像形成を行う画像形成手段とを有する複合画像形成装置に設けられたバッファメモリ制御装置に用いられ、前記速度変換用バッファメモリおよび前記参照用バッファメモリを兼ねる１つのラインバッファメモリに対する前記画像データの書込、読出しを制御するためのバッファメモリ制御方法であって、前記入力選択手段で選択された画像供給手段からの画像格納要求信号と前記処理選択手段で選択された画像処理手段からの画像読出し要求信号とを調停する工程と、前記入力選択手段で選択された画像供給手段からの画像格納要求信号に応答して対応する画像データを前記ラインバッファメモリへ格納する際に前記ラインバッファメモリを前記選択された画像処理手段に応じて複数のラインに分割して該分割された各ラインにアクセスしかつ各ラインに対応する画像データを格納するように書込アドレス制御を行う工程と、前記処理選択手段で選択された画像処理手段からの画像読出し要求信号に応答して前記ラインバッファメモリから対応する画像データを読み出す際に前記分割された各ラインにアクセスしかつ各ラインから画像データを読み出すように読出しアドレス制御を行い、前記選択された画像処理手段がその処理に参照画像データを必要とするときには、前記参照画像データが格納されている参照ラインを含む複数のラインにまたがる画像データを一度に取り出すように読出しアドレス制御を行う工程とを備えることを特徴とするバッファメモリ制御方法。
【請求項８】
前記画像形成手段による１ページの画像データに対する画像形成中に前記選択された画像供給手段から入力される画像データの各画像ブロック毎に前記処理選択手段により選択される画像処理手段が切り替えられるモードが設定されているときには、前記選択された画像処理手段毎に必要となる参照ラインの数を可変しながら該参照ラインを含む複数のラインにまたがる画像データを一度に取り出すように読出しアドレス制御を行うことを特徴とする請求項７記載のバッファメモリ制御方法。
【請求項９】
前記分割されたライン数の管理にアップダウンカウンタを用い、該アップダウンカウンタのカウント値を前記ラインの分割数に応じて切り替えるように制御することを特徴とする請求項７記載のバッファメモリ制御方法。
【請求項１０】
前記ラインの分割数は、前記画像処理手段毎に予め設定されていることを特徴とする請求項７記載のバッファメモリ制御方法。
【請求項１１】
前記入力選択手段による前記画像供給手段の選択タイミングおよび前記処理選択手段による前記画像処理手段の選択タイミングに応じて前記画像格納要求信号に応答したアクセス実行タイミングと前記画像読出し要求信号に応答したアクセス実行タイミングとを任意に切替可能なように前記画像格納要求信号と前記画像読出し要求信号との調停を行うことを特徴とする請求項７記載のバッファメモリ制御方法。
【請求項１２】
速度変換用バッファメモリへの画像データの格納を要求する画像格納要求信号とともに該画像データを出力する複数の画像供給手段の中から１つの画像供給手段を選択する入力選択手段と、参照用バッファメモリに格納された画像データの読出しを要求する画像読出し要求信号を出力し、該画像読出し要求信号により読み出された画像データに対し対応する処理を施す複数の画像処理手段と、前記各画像処理手段の中から対応する画像処理手段を設定された機能モードに応じて選択する処理選択手段と、前記選択された画像処理手段で処理された画像データに対する画像形成を行う画像形成手段と、前記速度変換用バッファメモリおよび前記参照用バッファメモリに対する前記画像データの書込、読出しを制御するためのバッファメモリ制御装置とを有する複合画像形成装置において、前記バッファメモリ制御装置は、前記速度変換用バッファメモリおよび前記参照用バッファメモリを兼ねる１つのラインバッファメモリと、前記入力選択手段で選択された画像供給手段からの画像格納要求信号と前記処理選択手段で選択された画像処理手段からの画像読出し要求信号とを調停するメモリアクセス調停手段と、前記入力選択手段で選択された画像供給手段からの画像格納要求信号に応答して対応する画像データを前記ラインバッファメモリへ格納する際に前記ラインバッファメモリを前記選択された画像処理手段に応じて複数のラインに分割して該分割された各ラインにアクセスしかつ各ラインに対応する画像データを格納するように書込アドレス制御を行うとともに、前記処理選択手段で選択された画像処理手段からの画像読出し要求信号に応答して前記ラインバッファメモリから対応する画像データを読み出す際に前記分割された各ラインにアクセスしかつ各ラインから画像データを読み出すように読出しアドレス制御を行うアドレス制御手段とを備え、前記選択された画像処理手段がその処理に参照画像データを必要とするときには、前記アドレス制御手段は、前記参照画像データが格納されている参照ラインを含む複数のラインにまたがる画像データを一度に取り出すように読出しアドレス制御を行うことを特徴とする複合画像形成装置。
【請求項１３】
速度変換用バッファメモリ及び画像処理用の参照用バッファメモリを兼ねる１つのバッファメモリと、複数の画像供給手段の中から１つの画像供給手段を選択し前記バッファメモリに画像を供給する入力選択手段と、前記バッファメモリに格納された画像データの読出された画像データに対し対応する処理を施す複数の画像処理手段と、前記複数の画像処理手段の中から対応する画像処理手段を設定された機能モードに応じて選択する処理選択手段と、前記入力選択手段で選択された画像供給手段からの画像格納要求信号と前記処理選択手段で選択された画像処理手段からの画像読出し要求信号とを調停するメモリアクセス調停手段と、前記入力選択手段で選択された画像供給手段からの画像データを前記バッファメモリへ格納する際に前記バッファメモリを前記選択された画像処理手段に応じて複数のラインに分割して該分割された各ラインにアクセスしかつ各ラインに対応する画像データを格納するように書込アドレス制御を行うとともに、前記処理選択手段で選択された画像処理手段により前記バッファメモリから対応する画像データを読み出す際に前記分割された各ラインにアクセスしかつ各ラインから画像データを読み出すように読出しアドレス制御を行うアドレス制御手段とを備えることを特徴とするバッファメモリ制御装置。
【請求項１４】
前記アドレス制御手段は、前記参照画像データが格納されている参照ラインを含む複数のラインにまたがる画像データを一度に取り出すように読出しアドレス制御を行うことを特徴とする請求項1３記載のバッファメモリ制御装置。
【請求項１５】
前記画像形成手段による１ページの画像データに対する画像形成中に前記選択された画像供給手段から入力される画像データの各画像ブロック毎に前記処理選択手段により選択される画像処理手段が切り替えられるモードが設定されているときには、前記アドレス制御手段は、前記選択された画像処理手段毎に必要となる参照ラインの数を可変しながら該参照ラインを含む複数のラインにまたがる画像データを取り出すように読出しアドレス制御を行うことを特徴とする請求項１３または１４記載のバッファメモリ制御装置。
【手続補正２】
【補正対象書類名】明細書
【補正対象項目名】００１９
【補正方法】変更
【補正の内容】
【００１９】
請求項１２記載の発明は、速度変換用バッファメモリへの画像データの格納を要求する画像格納要求信号とともに該画像データを出力する複数の画像供給手段の中から１つの画像供給手段を選択する入力選択手段と、参照用バッファメモリに格納された画像データの読出しを要求する画像読出し要求信号を出力し、該画像読出し要求信号により読み出された画像データに対し対応する処理を施す複数の画像処理手段と、前記各画像処理手段の中から対応する画像処理手段を設定された機能モードに応じて選択する処理選択手段と、前記選択された画像処理手段で処理された画像データに対する画像形成を行う画像形成手段と、前記速度変換用バッファメモリおよび前記参照用バッファメモリに対する前記画像データの書込、読出しを制御するためのバッファメモリ制御装置とを有する複合画像形成装置において、前記バッファメモリ制御装置は、前記速度変換用バッファメモリおよび前記参照用バッファメモリを兼ねる１つのラインバッファメモリと、前記入力選択手段で選択された画像供給手段からの画像格納要求信号と前記処理選択手段で選択された画像処理手段からの画像読出し要求信号とを調停するメモリアクセス調停手段と、前記入力選択手段で選択された画像供給手段からの画像格納要求信号に応答して対応する画像データを前記ラインバッファメモリへ格納する際に前記ラインバッファメモリを前記選択された画像処理手段に応じて複数のラインに分割して該分割された各ラインにアクセスしかつ各ラインに対応する画像データを格納するように書込アドレス制御を行うとともに、前記処理選択手段で選択された画像処理手段からの画像読出し要求信号に応答して前記ラインバッファメモリから対応する画像データを読み出す際に前記分割された各ラインにアクセスしかつ各ラインから画像データを読み出すように読出しアドレス制御を行うアドレス制御手段とを備え、前記選択された画像処理手段がその処理に参照画像データを必要とするときには、前記アドレス制御手段は、前記参照画像データが格納されている参照ラインを含む複数のラインにまたがる画像データを一度に取り出すように読出しアドレス制御を行うことを特徴とする。
請求項１３記載の発明は、速度変換用バッファメモリ及び画像処理用の参照用バッファメモリを兼ねる１つのバッファメモリと、複数の画像供給手段の中から１つの画像供給手段を選択し前記バッファメモリに画像を供給する入力選択手段と、前記バッファメモリに格納された画像データの読出された画像データに対し対応する処理を施す複数の画像処理手段と、前記複数の画像処理手段の中から対応する画像処理手段を設定された機能モードに応じて選択する処理選択手段と、前記入力選択手段で選択された画像供給手段からの画像格納要求信号と前記処理選択手段で選択された画像処理手段からの画像読出し要求信号とを調停するメモリアクセス調停手段と、前記入力選択手段で選択された画像供給手段からの画像データを前記バッファメモリへ格納する際に前記バッファメモリを前記選択された画像処理手段に応じて複数のラインに分割して該分割された各ラインにアクセスしかつ各ラインに対応する画像データを格納するように書込アドレス制御を行うとともに、前記処理選択手段で選択された画像処理手段により前記バッファメモリから対応する画像データを読み出す際に前記分割された各ラインにアクセスしかつ各ラインから画像データを読み出すように読出しアドレス制御を行うアドレス制御手段とを備えることを特徴とする。
請求項１４記載の発明は、請求項１３記載のバッファメモリ制御装置において、前記アドレス制御手段は、前記参照画像データが格納されている参照ラインを含む複数のラインにまたがる画像データを一度に取り出すように読出しアドレス制御を行うことを特徴とする。
請求項１５記載の発明は、請求項１３または１４記載の場ファメモリ制御装置において、前記画像形成手段による１ページの画像データに対する画像形成中に前記選択された画像供給手段から入力される画像データの各画像ブロック毎に前記処理選択手段により選択される画像処理手段が切り替えられるモードが設定されているときには、前記アドレス制御手段は、前記選択された画像処理手段毎に必要となる参照ラインの数を可変しながら該参照ラインを含む複数のラインにまたがる画像データを取り出すように読出しアドレス制御を行うことを特徴とする。
【手続補正３】
【補正対象書類名】明細書
【補正対象項目名】０１２６
【補正方法】変更
【補正の内容】
【０１２６】
請求項１２記載の複合画像形成装置によれば、バッファメモリ制御装置を、速度変換用バッファメモリおよび参照用バッファメモリを兼用する１つのラインバッファメモリと、入力選択手段で選択された画像供給手段からの画像格納要求信号と処理選択手段で選択された画像処理手段からの画像読出し要求信号とを調停するメモリアクセス調停手段と、入力選択手段で選択された画像供給手段からの画像格納要求信号に応答して対応する画像データをラインバッファメモリへ格納する際にラインバッファメモリを選択された画像処理手段に応じて複数のラインに分割して該分割された各ラインにアクセスしかつ各ラインに対応する画像データを格納するように書込アドレス制御を行うとともに、処理選択手段で選択された画像処理手段からの画像読出し要求信号に応答してラインバッファメモリから対応する画像データを読み出す際に分割された各ラインにアクセスしかつ各ラインから画像データを読み出すように読出しアドレス制御を行うアドレス制御手段とから構成し、選択された画像処理手段がその処理に参照画像データを必要とするときには、アドレス制御手段で、参照画像データが格納されている参照ラインを含む複数のラインにまたがる画像データを一度に取り出すように読出しアドレス制御を行うから、１つのラインバッファメモリを画像供給手段の速度変換用バッファメモリおよび画像処理手段の参照用バッファメモリとして共用することが可能になり、コピー機能、ファクシミリ機能、プリンタ機能などの各機能の複合化による装置構成の複雑化を阻止することができる。
請求項１３および１４記載のバッファメモリ制御装置によれば、コピー機能、ファクシミリ機能、プリンタ機能などの各機能の複合化による装置構成の複雑化を阻止することができる。
また、請求項１５記載のバッファメモリ制御装置によれば、１ページ内に含まれる画像ブロック毎にその画像ブロックに所望の画像処理手段による画像処理を施すことができる。